(57)【要約】【課題】  使用環境等に合わせて一台で軽量化を重視した使用と耐衝撃・落下性を重視した使用に使い分けることのできる非破壊検査装置を提供する。【解決手段】  非破壊検査装置の装置本体に対し、小型の緩衝部材である標準バンパ１２ａ，１２ｂ…と大型のオプションバンパを設け、これらをビス１５によって脱着可能にする。装置の使用環境に応じてバンパ非装着、標準バンパ装着、オプションバンパ装着を適宜選択する。【選択図】  図１
2006029849.tif 000002
【特許請求の範囲】
【請求項１】
検査プローブが接続される装置本体に電源や制御機器が内蔵されたポータブル型の非破壊検査装置において、
前記装置本体に対して脱着可能な緩衝部材を設けたことを特徴とする非破壊検査装置。
【請求項２】
複数種類の緩衝部材を設け、その種類の異なる各緩衝部材に、前記装置本体の共通の取付部に対して脱着可能な係止構造を設けたことを特徴とする請求項１に記載の非破壊検査装置。
【請求項３】
前記装置本体に取り付けた緩衝部材に対して脱着可能な別の緩衝部材を設けたことを特徴とする請求項１または２に記載の非破壊検査装置。
【請求項４】
前記装置本体上と離間した位置に複数の緩衝部材を取り付け、その複数の緩衝部材に、前記装置本体の把持を補助するためのストラップを張り渡したことを特徴とする請求項１〜３のいずれかに記載の非破壊検査装置。
【請求項５】
前記緩衝部材と前記装置本体との圧接部に、前記ストラップの端部に設けたリング部材を係止するための保持溝を形成したことを特徴とする請求項４に記載の非破壊検査装置。
【発明の詳細な説明】
【技術分野】
【０００１】
この発明は、超音波や交流磁界等を検査対象に当てて検査対象の表面や内部の欠陥等を検査する非破壊検査装置に関し、特に、携帯使用が可能なポータブル型の非破壊検査装置に関するものである。
【背景技術】
【０００２】
超音波探傷装置や渦流探傷装置等の非破壊検査装置は、検査プローブを検査対象に接触、若しくは、近接させ、検査対象から反射されてくる信号波形を観察することによって傷の有無等を検出する。そして、この種の非破壊検査装置は、コンピュータによる高度な検査が可能な大型の検査装置と、検査機能は限られるが携帯性に優れた小型のポータブル型検査装置に分類される。
【０００３】
後者のポータブル型の被破壊検査装置は、電源や制御機器が内蔵された装置本体にケーブルによって検査プローブに接続され、装置本体上には、各種のコネクタやスイッチ、液晶ディスプレイ、操作ダイヤル等が設けられている（例えば、特許文献１参照。）。
【特許文献１】特開平１１−１４８９２３号公報
【発明の開示】
【発明が解決しようとする課題】
【０００４】
ところで、ポータブル型の非破壊検査装置は、例えば、航空機の整備工場のように多くの工具や測定機器等が周囲にあって足場の悪い環境で使用されることが多く、このような環境下では装置を周囲にぶつけたり、下方に落下させる可能性が考えられる。
【０００５】
このため、現在、装置本体の一部に緩衝部材を一体に設けたもの等も考えられているが、大型の緩衝部材を一体に設けると装置の総重量の増加を招いてしまう。そして、非破壊検査装置による検査は数時間に及ぶことが多いため、装置重量の増加は検査作業者に大きな肉体的な負担を与えることとなる。
【０００６】
したがって、現状ではユーザーは耐衝撃・落下機能を持たない軽量化を重視した装置か、重量増加を犠牲にして耐衝撃・落下機能を持たせた装置のいずれかを選択して購入しなければならず、使用環境等に合わせて装置を使い分けるには、二種の装置を購入しなければならない。
【０００７】
そこで、この発明は、使用環境等に合わせて一台で軽量化を重視した使用と、耐衝撃・落下性を重視した使用に使い分けることのできる非破壊検査装置を提供することを目的とするものである。
【課題を解決するための手段】
【０００８】
上記目的を達成するために、この発明は、検査プローブが接続される装置本体に電源や制御機器が内蔵されたポータブル型の非破壊検査装置において、前記装置本体に対して脱着可能な緩衝部材を設けるようにした。この発明の場合、装置の軽量化を考えて使用するときには装置本体に緩衝部材を取り付けずにそのまま使用し、衝撃入力や落下からの装置保護を優先するときには緩衝部材を装置本体に取り付けて使用する。
【０００９】
複数種類の緩衝部材を設け、その種類の異なる各緩衝部材に、前記装置本体の共通の取付部に対して脱着可能な係止構造を設けるようにしても良い。この場合、耐衝撃・落下性能と軽量化のバランスを考えて種類の異なる緩衝部材を適宜簡単に交換することが可能となる。
【００１０】
また、前記装置本体に取り付けた緩衝部材に対して脱着可能な別の緩衝部材を設けるようにして良い。この場合、耐衝撃・落下性能と軽量化のバランスを考えて別の緩衝部材の追加や取り外しを行うことが可能となる。
【００１１】
さらに、前記装置本体上の離間した位置に複数の緩衝部材を取り付け、その複数の緩衝部材に、前記装置本体の把持を補助するためのストラップを張り渡すようにしても良い。この場合、装置本体にストラップの取付部を特別に設ける必要がなくなるため、装置本体の構造の簡素化とそれによる製造コストの低減が可能となる。
【００１２】
前記緩衝部材と前記装置本体との圧接部に、前記ストラップの端部に設けたリング部材を係止するための保持溝を形成するようにしても良い。この場合、ストラップの端部のリング部材を保持溝に係合して、その状態で緩衝部材を装置本体に固定するだけでストラップを装置本体に取り付けることができるため、ストラップの取り付けが容易となる。
【発明の効果】
【００１３】
この発明は、装置の軽量化を考えて使用するときには装置本体に緩衝部材を取り付けずにそのまま使用し、衝撃や落下から装置を守る必要があるときには緩衝部材を装置本体に取り付けて使用することができるため、使用環境等に合わせて一台の装置を軽量化を重視した使用と耐衝撃・落下性を重視した使用に使い分けることができる。
【発明を実施するための最良の形態】
【００１４】
次に、この発明の各実施形態を図面に基づいて説明する。尚、各実施形態については、同一部分に同一符号を付し、重複する部分については説明を省略するものとする。
【００１５】
まず、図１〜図６に示す第１の実施形態について説明する。
図１，図２は、この発明にかかる非破壊検査装置の装置本体２０の標準仕様状態での概観を示すものであり、この装置本体２０には、使用にあたって超音波探傷プローブ等の検査プローブ（図示せず。）が適宜ケーブル接続される。装置本体２０のハウジング１は、表示部である液晶パネル２が前面側に取り付けられたフロントハウジング１Ａと、そのフロントハウジング１Ａの後面側を閉塞するリヤハウジング１Ｂとを備え、全体として横長の直方体状に形成されている。フロントハウジング１Ａとリヤハウジング１Ｂは、軽量で、強度と放熱性に優れたマグネシウム合金によって形成されている。
【００１６】
フロントハウジング１Ａとリヤハウジング１Ｂとは前後で二つ割り構造とされ、ビス止めによって相互に固定されている。そして、このハウジング１の内部には、ＣＰＵやＤＳＰ等の信号処理デバイスをはじめとする種々の電子機器が基板を介して取り付けられると共に、バッテリ等の電源が収納されている。
【００１７】
フロントハウジング１Ａの前面には、液晶パネル２が配置されると共に、その液晶パネル２の両側部と下部とに後述する操作パネル３が配置されている。フロントハウジング１Ａの両側部には、検査作業者が把持するための把持部４が設けられると共に、その両把持部４の上側に各種設定操作を行うための操作ダイヤル５が配置されている。また、フロントハウジング１Ａの上面には、フェイズド・アレイ等の多チャンネル超音波探傷のためのコネクタ６と、単一チャンネルの超音波探傷のためのコネクタ７ａ，７ｂと、プリンタやリモートケーブル、イヤホンモニタ等を接続するための拡張用コネクタ８ａ，８ｂが配置されている。
【００１８】
また、リヤハウジング１Ｂの背面には横方向に延びる湾曲状断面の凹溝９が形成されており、実際の検査作業時に作業者の上腕部上にこの凹溝９部分を乗せることにより、装置本体２０を安定支持できるようになっている。さらに、リヤハウジング１Ｂの片側側面にはバッテリ収納部の開閉蓋１０が設けられ、この開閉蓋１０を開くことによってバッテリの脱着を行えるようになっている。また、リヤハウジング１Ｂの上面には、ＶＧＡとＳ−ビデオの主力用コネクタ１１ａ，１１ｂが設けられている。
【００１９】
ところで、この非破壊検査装置においては、フロントハウジング１Ａの上下面の左右両端と、リヤハウジング１Ｂの上辺コーナ及び下辺コーナの左右両端の近傍領域に夫々緩衝部材であるバンパ１２ａ〜１２ｈ、または、１３ａ〜１３ｄが脱着可能に取り付けられるようになっている。このバンパは二種類用意されており、図１〜図３にはその一種の標準バンパ１２ａ〜１２ｈが取り付けられた状態が示され、図５，図６には、他種のオプションバンパ１３ａ〜１３ｄが取り付けられた状態が示されている。この実施形態の場合、これらの標準バンパ１２ａ〜１２ｈ、オプションバンパ１３ａ〜１３ｄはいずれもＮＢＲ（ニトリルゴム）によって形成されている。標準バンパ１２ａ〜１２ｈは、フロントハウジング１Ａとリヤハウジング１Ｂの８箇所の取付部１４ａ〜１４ｈに夫々独立して取り付けられ、オプションバンパ１３ａ〜１３ｄは、フロントハウジング１Ａとリヤハウジング１Ｂの対応する取付部１４ａ−１４ｅ，１４ｂ−１４ｆ，１４ｃ−１４ｇ，１４ｄ−１４ｈに掛け渡されて取り付けられるようになっている。尚、以下では、フロントハウジング１Ａの上面左右の取付部を第１，第２の取付部１４ａ，１４ｂ、同ハウジング１Ａの下面左右の取付部を第３，第４の取付部１４ｃ，１４ｄと呼び、リヤハウジング１Ｂの上辺コーナ左右の取付部を第５，第６の取付部１４ｅ，１４ｆ、同ハウジング１Ｂの下辺コーナ左右の取付部を第７，第８の取付部１４ｇ，１４ｈと呼ぶものとする。
【００２０】
フロントハウジング１Ａ側の第１〜第４の各取付部１４ａ〜１４ｄは、図示しないねじ孔が上面または下面の前後に二つずつ形成され、リヤハウジング１Ｂ側の第５〜第８の各取付部１４ｅ〜１４ｈは、図示しないねじ孔がコーナを挟む略直交する二面に各一つずつ形成されている。そして、標準バンパ１２ａ〜１２ｈとオプションバンパ１３ａ〜１３ｄは、第１〜第８の取付部１４ａ〜１４ｈの各ねじ孔にビス１５によって締込み固定されるようになっている。尚、この標準バンパ１２ａ〜１２ｈとオプションバンパ１３ａ〜１３ｄの固定用のビス１５はすべて同規格、同サイズのものが用いられている。また、この実施形態においては、ビス１５と標準バンパ１２ａ〜１２ｈ側のビス支持部とが脱着可能な係止構造を構成している。
【００２１】
フロントハウジング１Ａに取り付けられる標準バンパ１２ａ〜１２ｄはフロントハウジング１Ａに対して夫々上下方向にのみ突出しているが、リヤハウジング１Ｂに取り付けられる標準バンパ１２ｅ〜１２ｈは略Ｌ字状に形成され、リヤハウジング１Ｂに対して上下方向と後方向とに突出している。また、標準バンパ１２ａ，１２ｂは、装置本体２０が床等に落下したときにハウジング１の表面のコネクタ等の隆起部分を保護できるように、これらの隆起部分よりも高くなるように突出している。
【００２２】
また、リヤハウジング１Ｂに取り付けられる標準バンパ１２ｅ〜１２ｈはＬ字形状の内側面がビス止めによってリヤハウジング１Ｂの外面に圧接されるが、その圧接面の交差部分である内側コーナ部には標準バンパ１２ｅ〜１２ｈの幅方向に延出する保持溝１６が形成されている。この各保持溝１６には、図３に示すようにストラップ１７の両端部に設けられたリング部材１８が係合可能となっている。ストラップ１７は、検査作業者による装置本体２０の把持を補助するためのものであり、リヤハウジング１Ｂの上下の標準バンパ１２ｅ−１２ｇ，１２ｆ−１２ｈに掛け渡した状態において、ストラップ１７とリヤハウジング１Ｂの間に潜り込ませた作業者の手の甲を外側から支持する。
【００２３】
一方、オプションバンパ１３ａ〜１３ｄは、標準バンパ１２ａ〜１２ｈに比較して大型に形成され、ハウジング１の外面に対して大きく外側に突出している。具体的には、ハウジング１の上部に取り付けられるオプションバンパ１３ａ，１３ｂは上方に大きく突出するばかりでなく、側部のコーナを完全に覆うようにハウジング１の前後と側方にも張り出している。このオプションバンパ１３ａ，１３ｂは、周囲の部材との干渉時や落下の際に装置本体２０をより確実に保護することに重点をおくときに使用される。
【００２４】
また、フロントハウジング１Ａの前面に設けられる操作パネル３には、電源キーＰの他、液晶パネル３に表示される内容に対して作業者が選択や確定を行うファンクションキーＦやメニューキーＭが配置されると共に、測定結果の更新を一時的に停止するフリーズ機能や、測定結果を記憶装置に記憶させるストア機能等の主要な機能をワンタッチで操作できるようにしたダイレクトキーＤ等が配置されている。このうち、電源キーＰ、ファンクションキーＦ、メニューキーＭのエリアと、ダイレクトキーＤ等のエリアとでは、キーのベース色やキー周囲の色が、例えば、一方のエリアは黒、他方のエリアはグレーといったように相互に異なっている。この配色の相違は作業者が感覚的にキー配置を認識できるようにするためのものである。
【００２５】
この非破壊検査装置は、以上のように緩衝部材である標準バンパ１２ａ〜１２ｈとオプションバンパ１３ａ〜１３ｄが装置本体２０に対してビス１５によって自由に脱着できるようになっているため、検査環境に応じてこれらのバンパの装着や取り外しを適宜選択することができる。
【００２６】
具体的には、例えば、足場の良い比較的広い環境で長時間の検査を行う場合には、小型の標準バンパ１２ａ〜１２ｈのみをビス１５によってハウジング１に取り付け、あるいは、バンパをまったく付けずに検査を行うことにより、検査作業者の肉体的な負担を軽減する。また、足場の悪い環境や、作業スペースの狭い環境等で検査を行う場合には、大型のオプションバンパ１３ａ〜１３ｄをビス１５によってハウジング１に取り付けて検査を行うことにより、装置を周囲にぶつけたり落下したときにおける衝撃をオプションバンパ１３ａ〜１３ｄによって確実に吸収し、それによって装置本体２０の損傷等を確実に防止する。勿論、標準バンパ１２ａ〜１２ｈは小型ではあるものの緩衝機能を有するため、周囲の部材との干渉や落下に対して装置本体２０をある程度保護することができる。したがって、この実施形態の場合、耐衝撃・落下性と軽量化の兼ね合いを考慮して、検査作業者がバンパ無装着、標準バンパ装着、オプションバンパ装着の三つ選択肢のうちから選択を行えば良い。
【００２７】
また、この実施形態の非破壊検査装置は、ハウジング１側の共通のビス孔に対して標準バンパ１２ａ〜１２ｈとオプションバンパ１３ａ〜１３ｄを適宜取り換えてビス止めすることができるため、ビス孔の加工数を削減して製造コストを削減できると共に、同様の脱着作業であることから標準バンパ１２ａ〜１２ｈとオプションバンパ１３ａ〜１３ｄの交換作業も容易となる。さらに、この実施形態ではすべての標準バンパ１２ａ〜１２ｈ、オプションバンパ１３ａ〜１３ｄで同規格、同サイズのビス１５を使用するようにしているため、標準バンパ１２ａ〜１２ｈとオプションバンパ１３ａ〜１３ｄの取付作業時におけるビス１５の付け間違い等を無くすことができ、しかも、標準バンパ１２ａ〜１２ｈとオプションバンパ１３ａ〜１３ｄで同数のビス１５を用いるようにしているため、バンパ交換時におけるビス１５の過不足を無くすことができる。
【００２８】
この装置においては、標準バンパ１２ｅ〜１２ｈのリヤハウジング１Ｂとの圧接部の内側コーナーに保持溝１６を形成し、その保持溝１６にストラップ１７の端部のリング部材１８を係止できるようにしてあるため、ストラップ１７の固定部を別に設ける場合に比較して装置構造を簡素化することができる。しかも、この装置の場合、保持溝１６をリヤハウジング１Ｂとの圧接部に設けるようにしているため、ストラップ１７を標準バンパ１２ｅ〜１２ｈの取り付けと同時にリヤハウジング１Ｂに容易に取り付けることができる。
【００２９】
次に、図７〜図１０に示す第２の実施形態について説明する。この実施形態の非破壊検査装置は、装置本体２０の基本的な構成は第１の実施形態のものとほぼ同様であるが、装置本体２０のハウジング１に対して脱着可能な緩衝部材の構造が若干異なっている。
【００３０】
即ち、標準バンパ１２ａ〜１２ｈは、形状等は第１の実施形態とほぼ同様であるが、それらの内部にはインサートナット２１が埋設されており、オプションバンパ１１３ａ〜１１３ｄは、前後の対応する標準バンパ１２ｂ−１２ｆ、１２ｄ−１２ｈ等に嵌合可能な凹部２２が設けられ、嵌合状態において標準バンパ１２ａ〜１２ｈのインサートナット２１にビス１５によって固定できるようになっている。
【００３１】
また、この実施形態の場合、標準仕様では、フロントハウジング１Ａとリヤハウジング１Ｂが直接向かい合わせにしてビス止めされているが、図１０に示すように内側にオプション基板３０を支持した中間枠３１がフロントハウジング１Ａとリヤハウジング１Ｂの間に介装できるようになっている。オプション基板３０は、例えば電磁超音波用の基板等であり、その基板３０に接続されるコネクタ３２は中間枠３１の上面に配置されている。また、中間枠３１をフロントハウジング１Ａとリヤハウジング１Ｂの間に取り付ける場合には、中間枠３１の前後幅とほぼ同長さの複数の連結支柱３３を設け、その連結支柱３３を介してフロントハウジング１Ａとリヤハウジング１Ｂをビス３４によって締め込むようになっている。即ち、連結支柱３３の一端にはフロントハウジング１Ａ側のビス孔に締結可能な雄ねじが設けられ、他端にはねじ孔が形成されており（いずれも図示せず。）、連結支柱３３の一端をフロントハウジング１Ａに固定した状態においてリヤハウジング１Ｂの背面側からビス３４を締め込むと、中間枠３１がフロントハウジング１Ａとリヤハウジング１Ｂによって挟圧固定される。尚、オプション基板３０とハウジング１内の他の基板や電源等とは図示しないコネクタや配線を介して接続されている。
【００３２】
この実施形態の非破壊検査装置は、基本的に第１の実施形態と同様に足場環境や検査作業時間等に応じて検査作業者がバンパ無装着、標準バンパ装着、オプションバンパ装着を適宜選ぶことができるが、オプションバンパ１１３ａ〜１１３ｄが標準バンパ１２ａ〜１２ｈのインサートナット２１にビス止めできるようになっているため、バンパ交換にあたって標準バンパ１２ａ〜１２ｈを一々取り外す必要がなく、交換作業が容易になるという、さらなる利点がある。
【００３３】
尚、この発明の実施形態は以上で説明したものに限るものではなく、例えば、以上の実施形態では緩衝部材である標準バンパやオプションバンパをＮＢＲで形成したが、これらは衝撃吸収作用のある部材であればウレタン等の他の部材も採用可能である。
【図面の簡単な説明】
【００３４】
【図１】この発明の第１の実施形態を示すものであり、標準バンパを取り付けた装置本体を前面側上部から見た斜視図。
【図２】同実施形態示すものであり、標準バンパを取り付けた装置本体を正面側上部の別の角度から見た斜視図。
【図３】同実施形態を示すものであり、標準バンパを取り付けた装置本体を背面側上部から見た斜視図。
【図４】同実施形態を示す液晶パネル部分の正面図。
【図５】同実施形態を示すものであり、オプションバンパを取り付けた装置本体を正面側上部から見た斜視図。
【図６】同実施形態を示すものであり、オプションバンパを取り付けた装置本体を正面側上部の別の角度から見た斜視図。
【図７】この発明の第２の実施形態を示すものであり、オプションバンパを取り付けた装置本体を正面側上部から見た斜視図。
【図８】同実施形態を示すものであり、オプションバンパを取り付けた装置本体を正面側下部から見た斜視図。
【図９】同実施形態を示すものであり、オプションバンパを取り付けた装置本体を背面側上部から見た斜視図。
【図１０】同実施形態を示すものであり、オプション基板を取り付けるときにおける装置本体の分解斜視図。
【符号の説明】
【００３５】
１２ａ〜１２ｈ  標準バンパ（緩衝部材）
１３ａ〜１３ｄ、１１３ａ〜１１３ｄ  オプションバンパ（緩衝部材）
１５  ビス（係止構造）
１６  係合溝
１７  ストラップ
１８  リング部材
２０  装置本体
【図１】
2006029849.tif 000003
【図２】
2006029849.tif 000004
【図３】
2006029849.tif 000005
【図４】
2006029849.tif 000006
【図５】
2006029849.tif 000007
【図６】
2006029849.tif 000008
【図７】
2006029849.tif 000009
【図８】
2006029849.tif 000010
【図９】
2006029849.tif 000011
【図１０】
2006029849.tif 000012